(57)【特許請求の範囲】
【請求項１】
異なる周波数キャリアによって運用されているプライマリセル及びセカンダリセルを用いてキャリアアグリゲーションを行うことができるように構成されている移動通信システムであって、
マクロセル間の異周波数ハンドオーバ制御に用いる異周波数測定処理と、該マクロセルのカバレッジエリア内でセカンダリセルとして設定されていないセルに対する測定処理に対して要求する性能とを別々に規定するように構成されていることを特徴とする移動通信システム。
【請求項２】
異なる周波数キャリアによって運用されているプライマリセル及びセカンダリセルを用いてキャリアアグリゲーションを行うことができるように構成されている移動通信システムであって、
アクティブ化された状態のセカンダリセルに対する測定処理に対して要求する第１性能と、設定されているがアクティブ化されていない状態のセカンダリセルに対する測定処理に対して要求する第２性能と、セカンダリセルとして設定されていないセルに対する測定処理に対して要求する第３性能とを別々に規定するように構成されており、
前記第１性能、前記第２性能及び前記第３性能は、それぞれ測定精度及び測定周期を含むことを特徴とする移動通信システム。
【請求項３】
前記第１性能に含まれる測定精度及び前記第２性能に含まれる測定精度が等しくなるように規定することを特徴とする請求項２に記載の移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式では、図１に示すように、広いエリアをサポートするカバレッジバンドによって運用されているセル（例えば、セル＃１１）のカバーエリア内に、ホットスポットにおいてスループットを改善させるためのキャパシティバンドによって運用されているセル（例えば、セル＃１１Ａ/セル＃１１Ｂ）を配置することが検討されている。
【０００３】
かかる環境下において、図４に示すように、移動局ＵＥは、周波数ｆ１において運用されているセル＃１１において「ＲＲＣ_Ｃｏｎｎｅｃｔｅｄ状態」である場合に、ＣＡ（Ｃａｒｒｉｅｒ  Ａｇｇｒｅｇａｔｉｏｎ、キャリアアグリゲーション）におけるＳｃｅｌｌとしての追加の可否を判断するために、セル＃１１のカバーエリア内に配置されているセル＃１１Ａ/セル＃１１Ｂにおける「Ｉｎｔｅｒ-Ｆｒｅｑｕｅｎｃｙ  Ｍｅａｓｕｒｅｍｅｎｔ」を行うことが期待されている。
【先行技術文献】
【非特許文献】
【０００４】
【非特許文献１】３ＧＰＰ寄書  Ｒ２-１１５７４５
【非特許文献２】３ＧＰＰ仕様  ＴＳ３６.１３３
【発明の概要】
【発明が解決しようとする課題】
【０００５】
一般的に、セル＃１１Ａ/セル＃１１Ｂのカバーエリアは、セル＃１１のカバーエリアと比べて、かなり狭いため、移動局ＵＥのセル＃１１内の位置によっては、かかる移動局ＵＥに対して、セル＃１１Ａ/セル＃１１ＢをＳｃｅｌｌとして設定しないケースや、セル＃１１Ａ/セル＃１１ＢをＳｃｅｌｌとして設定した後にアクティブ化しないケースが考えられる。
【０００６】
しかしながら、現在のＬＴＥ方式では、このようなケースを想定していないため、「Ｉｎｔｅｒ-Ｆｒｅｑｕｅｎｃｙ  Ｍｅａｓｕｒｅｍｅｎｔ」に対して要求する性能について１種類しか規定していない。
【０００７】
そのため、現在のＬＴＥ方式では、カバレッジバンドのマクロセル間の異周波数ハンドオーバ制御に用いる「Ｉｎｔｅｒ-Ｆｒｅｑｕｅｎｃｙ  Ｍｅａｓｕｒｅｍｅｎｔ」及びＳｃｅｌｌとして設定されていないセルに対する「Ｉｎｔｅｒ-Ｆｒｅｑｕｅｎｃｙ  Ｍｅａｓｕｒｅｍｅｎｔ」に対して等しい性能を要求している。
【０００８】
ここで、これらの「Ｍｅａｓｕｒｅｍｅｎｔ」に対して要求される性能は、測定精度や、測定周期や、上位層への測定結果の報告周期や、測定セル数や、測定周波数の最大数（異なる周波数測定の場合のみ）等を含む。
【０００９】
すなわち、移動局ＵＥは、カバレッジバンドのマクロセル間の異周波数ハンドオーバ制御に用いる「Ｉｎｔｅｒ-Ｆｒｅｑｕｅｎｃｙ  Ｍｅａｓｕｒｅｍｅｎｔ」と等しいレベルで、Ｓｃｅｌｌとして設定されていないセルに対する「Ｉｎｔｅｒ-Ｆｒｅｑｕｅｎｃｙ  Ｍｅａｓｕｒｅｍｅｎｔ」を行う必要があり、移動局ＵＥの消費電力が大きくなってしまうという問題点があった。
【００１０】
そこで、本発明は、上述の課題に鑑みてなされたものであり、「Ｉｎｔｅｒ-Ｆｒｅｑｕｅｎｃｙ  Ｍｅａｓｕｒｅｍｅｎｔ」としての測定対象セルの状況に応じて、「Ｉｎｔｅｒ-Ｆｒｅｑｕｅｎｃｙ  Ｍｅａｓｕｒｅｍｅｎｔ」に対して適切な性能を要求することができる移動通信システムを提供することを目的とする。
【課題を解決するための手段】
【００１１】
本発明の第１の特徴は、異なる周波数キャリアによって運用されているプライマリセル及びセカンダリセルを用いてキャリアアグリゲーションを行うことができるように構成されている移動通信システムであって、マクロセル間の異周波数ハンドオーバ制御に用いる異周波数測定処理と、該マクロセルのカバレッジエリア内でセカンダリセルとして設定されていないセルに対する測定処理に対して要求する性能とを別々に規定するように構成されていることを要旨とする。
【００１２】
本発明の第２の特徴は、異なる周波数キャリアによって運用されているプライマリセル及びセカンダリセルを用いてキャリアアグリゲーションを行うことができるように構成されている移動通信システムであって、アクティブ化された状態のセカンダリセルに対する測定処理に対して要求する第１性能と、設定されているがアクティブ化されていない状態のセカンダリセルに対する測定処理に対して要求する第２性能と、セカンダリセルとして設定されていないセルに対する測定処理に対して要求する第３性能とを別々に規定するように構成されており、  前記第１性能、前記第２性能及び前記第３性能は、それぞれ測定精度及び測定周期を含むことを要旨とする。
【発明の効果】
【００１３】
以上説明したように、本発明によれば、「Ｉｎｔｅｒ-Ｆｒｅｑｕｅｎｃｙ  Ｍｅａｓｕｒｅｍｅｎｔ」としての測定対象セルの状況に応じて、「Ｉｎｔｅｒ-Ｆｒｅｑｕｅｎｃｙ  Ｍｅａｓｕｒｅｍｅｎｔ」に対して適切な性能を要求することができる移動通信システムを提供することができる。
【図面の簡単な説明】
【００１４】
【図１】本発明の第１の実施形態に係る移動通信システムの全体構成図である。
【図２】本発明の第１の実施形態に係る移動通信システムにおいて「Ｍｅａｓｕｒｅｍｅｎｔ」に対して要求されている性能の一例について説明するための図である。
【図３】本発明の変更例１に係る移動通信システムにおいて「Ｍｅａｓｕｒｅｍｅｎｔ」に対して要求されている性能の一例について説明するための図である。
【図４】従来の移動通信システムにおいて移動局によって行われる測定処理について説明するための図である。
【発明を実施するための形態】
【００１５】
（本発明の第１の実施形態に係る移動通信システム）
図１及び図３を参照して、本発明の第１の実施形態に係る移動通信システムについて説明する。
【００１６】
図１に示すように、本実施形態に係る移動通信システムは、ＬＴＥ-Ａｄｖａｎｃｅｄ方式をサポートするものであって、異なる周波数キャリアによって運用されているＰｃｅｌｌ及びＳｃｅｌｌを用いて「ＣＡ」を行うことができるように構成されている。
【００１７】
なお、本実施形態に係る移動通信システムは、異なる周波数帯域内のキャリアによって運用されているＰｃｅｌｌ及びＳｃｅｌｌを用いて「Ｉｎｔｅｒ-ｂａｎｄ  ＣＡ」を行うことができるように構成されていてもよいし、同一の周波数帯域内のキャリアによって運用されているＰｃｅｌｌ及びＳｃｅｌｌを用いて「Ｉｎｔｒａ-ｂａｎｄ  ＣＡ」を行うことができるように構成されていてもよい。
【００１８】
なお、本実施形態に係る移動通信システムは、同一の周波数帯域内のキャリアによって運用されているＰｃｅｌｌ及びＳｃｅｌｌを用いて「Ｉｎｔｒａ-ｂａｎｄ  ＣＡ」を行うことができるように構成されていてもよい。
【００１９】
図１に示すように、本実施形態に係る移動通信システムは、無線基地局ｅＮＢ＃１〜ｅＮＢ＃３によって、セル＃１１〜セル＃３３及びセル＃１１Ａ〜セル＃３３Ｂを管理している。
【００２０】
ここで、セル＃１１〜セル＃３３は、広いエリアをサポートするカバレッジバンド、例えば、周波数ｆ１のキャリア（ＰＣＣ：Ｐｒｉｍａｒｙ  Ｃｏｍｐｏｎｅｎｔ  Ｃａｒｒｉｅｒ）によって運用されているセル（例えば、マクロセル）である。
【００２１】
一方、セル＃１１Ａ〜セル＃３３Ｂは、セル＃１１〜セル＃３３のカバーエリア内に配置されており、ホットスポットにおいてスループットを改善させるためのキャパシティバンド、例えば、周波数ｆ２/ｆ３のキャリア（ＳＣＣ：Ｓｅｃｏｎｄａｒｙ  Ｃｏｍｐｏｎｅｎｔ  Ｃａｒｒｉｅｒ）によって運用されているセル（例えば、ピコセル）である。
【００２２】
図２の例では、周波数ｆ１のキャリアによって運用されているセル＃１１は、移動局ＵＥに対してＰｃｅｌｌとして設定されており、周波数ｆ２のキャリアによって運用されているセル＃１１Ａは、移動局ＵＥに対してＳｃｅｌｌとして設定され且つアクティブ化されているものとする。
【００２３】
なお、セル＃１１Ｂは、周波数ｆ３のキャリアによって運用されており、無線基地局ｅＮＢが、移動局ＵＥのセル＃１１内の位置によって、移動局ＵＥに対して、セル＃１１Ｂを、Ｓｃｅｌｌとして追加して設定するか否かについて、及び、Ｓｃｅｌｌとしてアクティブ化するか否かについて決定するものとする。
【００２４】
また、図２の例では、移動局ＵＥは、セル＃１１内で、地点Ａ→地点Ｂ→地点Ｃ→地点Ｄというように移動しているものとする。
【００２５】
さらに、図２の例では、移動局ＵＥが、セル＃１１内において、地点Ｂに到達するまでは、無線基地局ｅＮＢは、移動局ＵＥに対して、セル＃１１ＢをＳｃｅｌｌとして追加して設定しないものとする。
【００２６】
その後、移動局ＵＥが、セル＃１１内において、地点Ｂに到達した際に、無線基地局ｅＮＢは、移動局ＵＥに対して、セル＃１１ＢをＳｃｅｌｌとして追加して設定するものとする。
【００２７】
そして、移動局ＵＥが、セル＃１１内において、地点Ｃに到達した際に、無線基地局ｅＮＢは、移動局ＵＥに対して、セル＃１１ＢをＳｃｅｌｌとしてアクティブ化するものとする。
【００２８】
また、移動局ＵＥは、セル＃１１/＃１２における「Ｍｅａｓｕｒｅｍｅｎｔ」を行うと共に、セル＃１１のカバーエリア内に配置されているセル＃１１Ａ/セル＃１１Ｂにおける「Ｍｅａｓｕｒｅｍｅｎｔ」を行うものとする。
【００２９】
すなわち、移動局ＵＥは、セル＃１１内において、地点Ａから地点Ｂまでのエリアでは、Ｓｃｅｌｌとして設定されていないセル＃１１Ｂに対して「Ｉｎｔｅｒ-Ｆｒｅｑｕｅｎｃｙ  Ｍｅａｓｕｒｅｍｅｎｔ」を行う（ケース１）。
【００３０】
また、移動局ＵＥは、セル＃１１内において、地点Ｂから地点Ｃまでのエリアでは、Ｓｃｅｌｌとして設定されているがアクティブ化されていないセル＃１１Ｂに対して「Ｉｎｔｒａ-Ｆｒｅｑｕｅｎｃｙ  Ｍｅａｓｕｒｅｍｅｎｔ」を行う（ケース２）。
【００３１】
さらに、移動局ＵＥは、セル＃１１内において、地点Ｃから地点Ｄまでのエリアでは、Ｓｃｅｌｌとしてアクティブ化されているセル＃１１Ｂに対して「Ｉｎｔｒａ-Ｆｒｅｑｕｅｎｃｙ  Ｍｅａｓｕｒｅｍｅｎｔ」を行う（ケース３）。
【００３２】
ここで、ＬＴＥ（Ｒｅｌｅａｓｅ-１０）方式では、カバレッジバンドのマクロセル＃１１/＃１２間の「Ｉｎｔｅｒ-Ｆｒｅｑｕｅｎｃｙ  Ｈａｎｄｏｖｅｒ」制御に用いる「Ｉｎｔｅｒ-Ｆｒｅｑｕｅｎｃｙ  Ｍｅａｓｕｒｅｍｅｎｔ」及びＳｃｅｌｌとして設定されていないセルに対する「Ｉｎｔｅｒ-Ｆｒｅｑｕｅｎｃｙ  Ｍｅａｓｕｒｅｍｅｎｔ（ケース１）」に対して等しい性能（性能規定Ｂ）を要求するように規定されていた。
【００３３】
なお、本明細書において、これらの「Ｍｅａｓｕｒｅｍｅｎｔ」に対して要求される性能は、測定精度や、測定周期や、上位層への測定結果の報告周期や、測定セル数や、測定周波数の最大数（異なる周波数測定の場合のみ）等を含む。
【００３４】
これに対して、本実施形態に係る移動通信システムは、カバレッジバンドのマクロセル＃１１/＃１２間の「Ｉｎｔｅｒ-Ｆｒｅｑｕｅｎｃｙ  Ｈａｎｄｏｖｅｒ」制御に用いる「Ｉｎｔｅｒ-Ｆｒｅｑｕｅｎｃｙ  Ｍｅａｓｕｒｅｍｅｎｔ」に対して要求する性能（性能規定Ａ）と、Ｓｃｅｌｌとして設定されていないセルに対する「Ｉｎｔｅｒ-Ｆｒｅｑｕｅｎｃｙ  Ｍｅａｓｕｒｅｍｅｎｔ（ケース１）」に対して要求する性能（性能規定Ｂ）とを別々に規定するように構成されている。
【００３５】
例えば、図２に示すように、本実施形態に係る移動通信システムでは、性能規定Ａは、測定周期を「３２００ｍｓ」とし、ＲＳＲＰ（Ｒｅｆｅｒｅｎｃｅ  Ｓｉｇｎａｌ  Ｒｅｃｅｉｖｅｄ  Ｐｏｗｅｒ）/ＲＳＲＱ（Ｒｅｆｅｒｅｎｃｅ  Ｓｉｇｎａｌ  Ｒｅｃｅｉｖｅｄ  Ｑｕａｌｉｔｙ）の測定精度を「±３ｄＢ（Ｅｓ/ｌｏｔ≧０ｄＢ）」と規定してもよい。
【００３６】
また、図２に示すように、本実施形態に係る移動通信システムでは、性能規定Ｂは、測定周期を「１６００ｍｓ」とし、ＲＳＲＰ/ＲＳＲＱの測定精度を「±３ｄＢ（Ｅｓ/ｌｏｔ≧６ｄＢ）」と規定してもよい。
【００３７】
すなわち、図２に示すように、本実施形態に係る移動通信システムでは、性能規定Ｂによって規定されている測定周期は、性能規定Ａによって規定されている測定周期よりも短くなるように構成されていてもよい。
【００３８】
また、図２に示すように、本実施形態に係る移動通信システムでは、性能規定Ｂによって規定されている測定精度は、性能規定Ａによって規定されている測定精度よりも高精度になるように構成されていてもよい。
【００３９】
なお、現在のＬＴＥ方式では、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０」に対しては、Ｓｃｅｌｌとして設定されているがアクティブ化されていないセルにおける「Ｄｅａｃｔｉｖａｔｅｄ  Ｓｃｅｌｌ  Ｍｅａｓｕｒｅｍｅｎｔ（ケース２）」の測定周期を設定することができるとされている。
【００４０】
ここで、「Ｄｅａｃｔｉｖａｔｅｄ  Ｓｃｅｌｌ  Ｍｅａｓｕｒｅｍｅｎｔ」は、設定されているがアクティブ化されていないＳｃｅｌｌにおける「Ｉｎｔｒａ-Ｆｒｅｑｕｅｎｃｙ  Ｍｅａｓｕｒｅｍｅｎｔ」を示す。
【００４１】
これに対して、本実施形態に係る移動通信システムでは、かかる「ｍｅａｓＣｙｃｌｅＳｃｅｌｌ-ｒ１０」に対して、Ｓｃｅｌｌとして設定されているがアクティブ化されていないセルにおける「Ｄｅａｃｔｉｖａｔｅｄ  Ｓｃｅｌｌ  Ｍｅａｓｕｒｅｍｅｎｔ（ケース２）」の測定周期だけでなく、Ｓｃｅｌｌとして設定されていないセルにおける「Ｉｎｔｅｒ-Ｆｒｅｑｕｅｎｃｙ  Ｍｅａｓｕｒｅｍｅｎｔ（ケース１）」の測定周期についても設定することができるように拡張してもよい。
【００４２】
本実施形態に係る発明によれば、測定対象セルの状況に応じて、「Ｉｎｔｅｒ-Ｆｒｅｑｕｅｎｃｙ  Ｍｅａｓｕｒｅｍｅｎｔ」に対して適切な性能を要求することができる。
【００４３】
（変更例１）
図３を参照して、本発明の変更例１に係る移動通信システムについて説明する。以下、本変更例１に係る移動通信システムについて、上述の第1の実施形態に係る移動通信システムとの相違点に着目して説明する。
【００４４】
図３に示すように、移動局ＵＥは、セル＃１１における「Ｍｅａｓｕｒｅｍｅｎｔ」を行うと共に、セル＃１１のカバーエリア内に配置されているセル＃１１Ａ/セル＃１１Ｂにおける「Ｍｅａｓｕｒｅｍｅｎｔ」を行うものとする。
【００４５】
すなわち、移動局ＵＥは、セル＃１１内において、地点Ａから地点Ｂまでのエリアでは、Ｓｃｅｌｌとして設定されていないセル＃１１Ｂに対して「Ｉｎｔｅｒ-Ｆｒｅｑｕｅｎｃｙ  Ｍｅａｓｕｒｅｍｅｎｔ」を行う（ケース１）。
【００４６】
また、移動局ＵＥは、セル＃１１内において、地点Ｂから地点Ｃまでのエリアでは、Ｓｃｅｌｌとして設定されているがアクティブ化されていないセル＃１１Ｂに対して「Ｄｅａｃｔｉｖａｔｅｄ  Ｓｃｅｌｌ  Ｍｅａｓｕｒｅｍｅｎｔ」を行う（ケース２）。
【００４７】
さらに、移動局ＵＥは、セル＃１１内において、地点Ｃから地点Ｄまでのエリアでは、Ｓｃｅｌｌとしてアクティブ化されているセル＃１１Ｂに対して「Ｉｎｔｒａ-Ｆｒｅｑｕｅｎｃｙ  Ｍｅａｓｕｒｅｍｅｎｔ」を行う（ケース３）。
【００４８】
これに対して、本実施形態に係る移動通信システムは、アクティブ化された状態のＳｃｅｌｌに対する「Ｉｎｔｒａ-Ｆｒｅｑｕｅｎｃｙ  Ｍｅａｓｕｒｅｍｅｎｔ（ケース３）」に対して要求する性能（性能規定Ｃ）と、設定されているがアクティブ化されていない状態のＳｃｅｌｌに対する「Ｄｅａｃｔｉｖａｔｅｄ  Ｓｃｅｌｌ  Ｍｅａｓｕｒｅｍｅｎｔ（ケース２）」に対して要求する性能（性能規定Ｂ）と、Ｓｃｅｌｌとして設定されていないセルに対する「Ｉｎｔｅｒ-Ｆｒｅｑｕｅｎｃｙ  Ｍｅａｓｕｒｅｍｅｎｔ（ケース１）」に対して要求する性能（性能規定Ａ）とを別々に規定するように構成されている。
【００４９】
例えば、図３に示すように、本実施形態に係る移動通信システムでは、性能規定Ａは、測定周期を「３２００ｍｓ」とし、ＲＳＲＰ（Ｒｅｆｅｒｅｎｃｅ  Ｓｉｇｎａｌ  Ｒｅｃｅｉｖｅｄ  Ｐｏｗｅｒ）/ＲＳＲＱ（Ｒｅｆｅｒｅｎｃｅ  Ｓｉｇｎａｌ  Ｒｅｃｅｉｖｅｄ  Ｑｕａｌｉｔｙ）の測定精度を「±３ｄＢ（Ｅｓ/ｌｏｔ≧０ｄＢ）」と規定してもよい。
【００５０】
また、図３に示すように、本実施形態に係る移動通信システムでは、性能規定Ｂは、測定周期を「１６００ｍｓ」とし、ＲＳＲＰ/ＲＳＲＱの測定精度を「±３ｄＢ（Ｅｓ/ｌｏｔ≧６ｄＢ）」と規定してもよい。
【００５１】
また、図３に示すように、本実施形態に係る移動通信システムでは、性能規定Ｃは、測定周期を「２００ｍｓ」とし、ＲＳＲＰ/ＲＳＲＱの測定精度を「±３ｄＢ（Ｅｓ/ｌｏｔ≧６ｄＢ）」と規定してもよい。
【００５２】
図３に示すように、本実施形態に係る移動通信システムでは、性能規定Ｂによって規定されているＲＳＲＰ/ＲＳＲＱの測定精度と性能規定Ｃによって規定されているＲＳＲＰ/ＲＳＲＱの測定精度とが等しくなるように構成されていてもよい。
【００５３】
また、図３に示すように、本実施形態に係る移動通信システムでは、性能規定Ｃによって規定されている測定周期は、性能規定Ｂによって規定されている測定周期よりも短くなるように構成されていてもよい。
【００５４】
さらに、図３に示すように、本実施形態に係る移動通信システムでは、性能規定Ｂによって規定されている測定周期は、性能規定Ａによって規定されている測定周期よりも短くなるように構成されていてもよい。
【００５５】
なお、現在のＬＴＥ方式では、「Ｍｅａｓｕｒｅｍｅｎｔ  Ｃｏｎｆｉｇｕｒａｔｉｏｎ」内の「ＭｅａｓＯｂｊｅｃｔＥＵＴＲＡ」内に設定されている「ｍｅａｓＣｙｃｌｅＳｃｅｌｌ-ｒ１０」に対しては、Ｓｃｅｌｌとして設定されているがアクティブ化されていないセルにおける「Ｄｅａｃｔｉｖａｔｅｄ  Ｓｃｅｌｌ  Ｍｅａｓｕｒｅｍｅｎｔ（ケース２）」の測定周期を設定することができるとされている。
【００５６】
これに対して、本実施形態に係る移動通信システムでは、かかる「ｍｅａｓＣｙｃｌｅＳｃｅｌｌ-ｒ１０」に対して、Ｓｃｅｌｌとして設定されているがアクティブ化されていないセルにおける「Ｄｅａｃｔｉｖａｔｅｄ  Ｓｃｅｌｌ  Ｍｅａｓｕｒｅｍｅｎｔ（ケース２）」の測定周期だけでなく、Ｓｃｅｌｌとして設定されていないセルにおける「Ｉｎｔｅｒ-Ｆｒｅｑｕｅｎｃｙ  Ｍｅａｓｕｒｅｍｅｎｔ（ケース１）」の測定周期についても設定することができるように拡張してもよい。
【００５７】
本実施形態に係る発明によれば、図２に示すケース１〜３に対して、別々の性能規定Ａ〜Ｃを規定することができるため、測定対象セルの状況に応じて、「Ｍｅａｓｕｒｅｍｅｎｔ」に対して適切な性能を要求することができる。
【００５８】
以上に述べた本実施形態の特徴は、以下のように表現されていてもよい。
【００５９】
本実施形態の第１の特徴は、異なる周波数キャリアによって運用されているＰｃｅｌｌ（プライマリセル）及びＳｃｅｌｌ（セカンダリセル）を用いてＣＡ（キャリアアグリゲーション）を行うことができるように構成されている移動通信システムであって、マクロセル＃１１/＃１２間の「Ｉｎｔｅｒ-ｆｒｅｑｕｅｎｃｙ  Ｈａｎｄｏｖｅｒ（異周波数ハンドオーバ）」制御に用いる「Ｉｎｔｅｒ-Ｆｒｅｑｕｅｎｃｙ  Ｍｅａｓｕｒｅｍｅｎｔ」と、マクロセル＃１１のカバレッジエリア内でＳｃｅｌｌとして設定されていないセル＃１１Ｂに対する「Ｉｎｔｅｒ-ｆｒｅｑｕｅｎｃｙ  Ｈａｎｄｏｖｅｒ」に対して要求する性能とを別々に規定するように構成されている。
【００６０】
本実施形態の第２の特徴は、異なる周波数キャリアによって運用されているＰｃｅｌｌ及びＳｃｅｌｌを用いてＣＡを行うことができるように構成されている移動通信システムであって、アクティブ化された状態のＳｃｅｌｌに対する「Ｍｅａｓｕｒｅｍｅｎｔ」に対して要求する第１性能と、設定されているがアクティブ化されていない状態のＳｃｅｌｌに対する「Ｍｅａｓｕｒｅｍｅｎｔ」に対して要求する第２性能と、Ｓｃｅｌｌとして設定されていないセルに対する「Ｍｅａｓｕｒｅｍｅｎｔ」に対して要求する第３性能とを別々に規定するように構成されており、第１性能、第２性能及び第３性能は、それぞれ測定精度及び測定周期によって構成されていることを要旨とする。
【００６１】
本実施形態の第２の特徴において、第１性能に含まれる測定精度及び第２性能に含まれる測定精度が等しくなるように規定してもよい。
【００６２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ＵＥ…移動局
ｅＮＢ…無線基地局
【図１】
0005806139.tif 000002
【図２】
0005806139.tif 000003
【図３】
0005806139.tif 000004
【図４】
0005806139.tif 000005